(57)【要約】【課題】被介護者にとって適度な柔軟性を有し床擦れを起こしにくいベッドベース、マットレス、およびそれらを用いた介護用ベッドを提供する。【解決手段】線材を螺旋状に加工した螺旋線材からなることを特徴とする螺旋網を用いたベッドベース。上面および下面に、線材を螺旋状に加工した螺旋線材からなる螺旋網を設けることを特徴とする螺旋網を用いたマットレス。前記ベッドベースおよび／またはマットレスを用いた介護用ベッド。【選択図】    図４
2004344441.tif 000002
【特許請求の範囲】
【請求項１】
線材を螺旋状に加工した螺旋線材からなることを特徴とする螺旋網を用いたベッドベース。
【請求項２】
前記螺旋線材の間隔を局所的に密にすることを特徴とする請求項１に記載の螺旋網を用いたベッドベース。
【請求項３】
上面および下面に、線材を螺旋状に加工した螺旋線材からなる螺旋網を設けることを特徴とする螺旋網を用いたマットレス。
【請求項４】
前記螺旋線材の間隔を局所的に密にし、かつ、該局所的に密にする位置を、前記上面および下面に設けた螺旋網で異なる位置とすることを特徴とする請求項３に記載の螺旋網を用いたマットレス。
【請求項５】
請求項１または請求項２に記載のベッドベース、および／または、請求項３または請求項４に記載のマットレスを用いることを特徴とする螺旋網を用いた介護用ベッド。
【発明の詳細な説明】
【０００１】
【発明の属する技術分野】
本発明は、螺旋網を用いたベッドベース、マットレスおよび介護用ベッドに関する。
【０００２】
【従来の技術】
中心に空洞をもたない螺旋（ｈｏｌｌｏｗｌｅｓｓ  ｈｅｌｉｘ）は、一般的なスプリングコイルとは異なり、伸縮や屈曲に抵抗することができる。
螺旋線材を用いた構造物については、従来から種々の提案がなされている。
例えば、特開平８−２９０５０１号公報および特開平８−２９１５８７号公報には、所定の直径からなる線材を螺旋状に巻回した多数の螺旋体を、相互の谷部と山部とが側方会合した状態で集合固定した螺旋構造物および建築用構成物が開示されている。
【０００３】
また、特開平９−３１４７０９号公報には、所定の直径からなる線材を螺旋状に巻回した複数の螺旋体からなる結合体相互を、山部および谷部を係合させながら拘束部材により拘束して側方会合させることにより結合可能にする螺旋構造物が開示されている。
さらに、線材の中心を限りなくゼロに近づけて螺旋に加工したものは側方会合させると隙間なく密着し、網に組むと形状が安定した強靭な網体ができ、これらについては、例えば、特開２００１−３３６０４８公報に開示されている。
しかし、特開２００１−３３６０４８公報には、図１に示すような最密に編まれた螺旋網が開示されているが、この螺旋網を用いた構造物としては複数の湾曲板を組み合わせて筒状にした網体が開示されているのみであり、これらの具体的な用途については検討されていなかった。
【０００４】
また、介護用ベッドについても、種々の提案がなされており、例えば、特開２００２−３６０６４１号公報には、被介護者が中心よりも左側または右側に多少ずれた位置に横たわっている場合であっても、確実に横たわっている状態から、ベッドサイドに腰掛けた状態に導くことができる介護用ベッドと、この介護用ベッドに使用されるマットレスが開示されている。
しかし、被介護者の多くは、体を起こしてくれるベッドや柔らかいマットレスを求めておらず、むしろ畳に布団を敷いて寝ることを望んでいる。とはいえ、実際に介護を必要とする人は畳に寝ると床擦れを起こしやすく、また、介護をする人は作業性の観点から通常のベッド程度の高さが必要であった。
【０００５】
【特許文献１】特開平８−２９０５０１号公報
【特許文献２】特開平８−２９１５８７号公報
【特許文献３】特開平９−３１４７０９号公報
【特許文献４】特開２００１−３３６０４８公報
【特許文献５】特開２００２−３６０６４１号公報
【０００６】
【発明が解決しようとする課題】
本発明は、前述のような従来技術の問題点を解決し、被介護者にとって適度な柔軟性を有し床擦れを起こしにくいベッドベース、マットレス、およびそれらを用いた介護用ベッドを提供することを課題とする。
【０００７】
【課題を解決するための手段】
本発明は、前述の課題を解決するために鋭意検討の結果なされたものであり、ベッドベースおよび／またはマットレスのスプリングとして、線材を螺旋状に加工した螺旋線材からなる螺旋網を用いることによって、被介護者にとって適度な柔軟性を有し床擦れを起こしにくいベッドベース、マットレス、およびそれらを用いた介護用ベッドを提供するものであり、その要旨とするところは特許請求の範囲に記載した通りの下記内容である。
【０００８】
（１）線材を螺旋状に加工した螺旋線材からなることを特徴とする螺旋網を用いたベッドベース。
（２）前記螺旋線材の間隔を局所的に密にすることを特徴とする（１）に記載の螺旋網を用いたベッドベース。
（３）上面および下面に、線材を螺旋状に加工した螺旋線材からなる螺旋網を設けることを特徴とする螺旋網を用いたマットレス。
（４）前記螺旋線材の間隔を局所的に密にし、かつ、該局所的に密にする位置を、前記上面および下面に設けた螺旋網で異なる位置とすることを特徴とする（３）に記載の螺旋網を用いたマットレス。
（５）（１）または（２）に記載のベッドベース、および／または、（３）または（４）に記載のマットレスを用いることを特徴とする螺旋網を用いた介護用ベッド。
【０００９】
【発明の実施の形態】
本発明の実施形態について、図１乃至図６を用いて詳細に説明する。
図１は、本発明に用いる線材を螺旋状に加工した螺旋線材からなる螺旋網を例示する平面図であり、図２は、その立体形状を示す斜視図である。
図１において、螺旋網は縦方向の経線１と横方向の緯線２とを編んだ構造となっている。図１では、経線１と緯線２とを構成する螺旋線材の螺旋の巻き方向がいずれも左巻きとなっており、巻き方向が異なる場合に比べて強固な構造となっているうえ、網目が円形と四角形とを交互に並べた模様となっているので意匠性に優れている。
なお、本発明に用いる螺旋線材の材質およびサイズは問わないが、強度や加工性および組み立て施工性の観点から、例えば、加工性に優れた軟鋼からなる線材を用い、線材直径が１〜５ｍｍ、螺旋の外径が線材直径の約２倍、螺旋のピッチが線材直径の５〜８培のものが好ましい。
【００１０】
図３は、本発明に用いる螺旋網を例示する図であり、図１の螺旋網の経線と緯線とを２本ずつ抜いた構造を示す図である。
このように、螺旋網の経線１と緯線２とを間引くことによって、螺旋網の柔軟性を適度に調整することができる。
本発明に用いる螺旋網は、螺旋線材によって構成しているので、螺旋網に組んだ後でも、螺旋線材を回転することによって前進または後退させ網の分解、線材の部分的交換や追加が容易にできる特徴をもっている。
【００１１】
図４は、螺旋網を用いたベッドベースの実施形態を例示する図であり、図５はその詳細図である。
図４および図５において、３は螺旋網、４は枠材、５は補強材、６は畳、７は点溶接を示す。
図４に示すように、例えば３０ｍｍ×３０ｍｍ×３ｍｍｔ程度の大きさのアングル材からなる枠材４の内側に前述の螺旋網３を点溶接７によって固定する。
この螺旋網３を構成する螺旋線材の径、螺旋のピッチ、間隔、あるいは素材を調整することによって、螺旋網３の柔軟性を自由にコントロールすることができ、従って被介護者の体重や好みに応じた柔軟性を持ったオーダーメイドのベッドベースを提供することができる。
本発明に用いる螺旋網３の目の大きさは問わないが、ベッドとしての柔軟性を保つために、螺旋網３の目の大きさを１０ｍｍ〜６０ｍｍの範囲で適宜選択することが好ましい。
【００１２】
また、螺旋網３を構成する螺旋線材の間隔は一定でもよいが、図４に示すように、人が横たわった際に、例えば腰の部分に相当する箇所の螺旋線材の間隔を局所的に密にして、この部分を適度に固くすることによって、被介護者が長期間寝たきりの状態になっても床擦れを生じにくくすることができる。
また、螺旋網３の柔軟性が高い場合には、ベッドベースが過度に沈み込まないように、例えば４０ｍｍ×３ｍｍｔ程度の補強材５を設置することが好ましい。
本発明においては、ベッドベースの上に設置するマットレスは問わないが、例えば、ベッドベース３の上に、図４および図５に点線で示す畳６を設置することによって、適度な柔軟性を有するベッドを提供することができる。
【００１３】
図６は、螺旋網を用いたマットレスの実施形態を例示する図である。
図６において、３は螺旋網（下面）、３´は螺旋網（上面）４は枠材、５は補強材を示す。
マットレスの上面および下面に、前述の螺旋網を設置することによって、適度な柔軟性を有するマットレスを提供することができる。
また、螺旋網３および３´を構成する螺旋線材の間隔を局所的に密にし、かつ、該局所的に密にする位置を、前記上面および下面に設けた螺旋網（３と、３´）で異なる位置とすることによって、被介護者の身長に応じて、局所的に密な部分が例えば被介護者の腰の位置に合う面をマットレスの上面として使用することによって、被介護者の体形に合ったマットレスを提供することができる。
以上説明したように、本発明の螺旋網を用いたベッドベースおよび／またはマットレスを使用することによって、被介護者の体形や好みに応じ適度な柔軟性を有し、しかも、単純な構造で安価な介護用ベッドを提供することができる。
【００１４】
【発明の効果】
本発明によれば、ベッドベースおよび／またはマットレスのスプリングとして、線材を螺旋状に加工した螺旋線材からなる螺旋網を用いることによって、被介護者にとって適度な柔軟性を有し床擦れを起こしにくいベッドベース、マットレス、およびそれらを用いた介護用ベッドを提供することができ、具体的には以下のような産業上有用な著しい効果を奏する。
１）適度に柔軟性があり、また変形が均一であるため、被介護者が床擦れを起こしにくい。
２）ばねを組み合わせて製作したボードに比べると構造が単純で安価である。
３）長期間の使用に対してもへたりや変形を起こしにくい。
４）万一、被介護者がベッド上に落ちることがあっても衝撃を吸収するので安全性が高く、変形しにくい。
【図面の簡単な説明】
【図１】本発明に用いる線材を螺旋状に加工した螺旋線材からなる螺旋網を例示する平面図である。
【図２】本発明に用いる線材を螺旋状に加工した螺旋線材からなる螺旋網を例示する斜視図である。
【図３】本発明に用いる螺旋網を例示する図であり、図１の螺旋網の経線と緯線とを２本ずつ抜いた構造を示す図である。
【図４】螺旋網を用いたベッドベースの実施形態を例示する図である。
【図５】螺旋網を用いたベッドベースの実施形態を例示する詳細図である。
【図６】螺旋網を用いたマットレスの実施形態を例示する図である。
【符号の説明】
１・・・経線、
２・・・緯線、
３・・・螺旋網（下面）、
３´・・・螺旋網（上面）、
４・・・枠材、
５・・・補強材、
６・・・畳、
７・・・点溶接
【図１】
2004344441.tif 000003
【図２】
2004344441.tif 000004
【図３】
2004344441.tif 000005
【図４】
2004344441.tif 000006
【図５】
2004344441.tif 000007
【図６】
2004344441.tif 000008